(57)【要約】【課題】自由度が高く、かつ、使用感に優れたズレ止めベルトを提供する。【解決手段】縦糸と横糸との織物または編物の帯体２で、帯体２の一方面２１は平坦にて成り、他方面２２には複数の略矩形形状の凸部５を長手方向Ｘに間隔を隔てて複数個有し、かつ、凸部５は長手方向Ｘの一対の端辺５１同士が長手方向Ｘに沿って平行に形成され、かつ、凸部５は短手方向Ｙの一対に端辺５２同士が短手方向Ｙに沿って平行に形成され、かつ、凸部５は厚み方向Ｚに伸縮する伸縮性を有し、長手方向Ｘに伸縮する伸縮性を有する帯体２と、帯体２の一方面２１の短手方向Ｙの少なくとも１箇所に、長手方向Ｘに連続して形成され、長手方向Ｘに伸縮する伸縮性を有するスベリ止め部３と、帯体２を環状に保持するとともに、帯体２の長手方向Ｘの保持する位置を変更して環状の大きさを調整する調整部４とを備える。【選択図】図１
2019214811.tif 000002
【特許請求の範囲】
【請求項１】
長手方向に配置される縦糸と短手方向に配置される横糸との織物または編物の帯体で、前記帯体の一方面は平坦にて成り、他方面には複数の略矩形形状の凸部を前記長手方向に間隔を隔てて複数個有し、かつ、前記凸部は前記長手方向の一対の端辺同士が前記長手方向に沿って平行に形成され、かつ、前記凸部は前記短手方向の一対の端辺同士が前記短手方向に沿って平行に形成され、かつ、前記凸部は厚み方向に伸縮する伸縮性を有し、前記長手方向に伸縮する伸縮性を有する前記帯体と、
前記帯体の前記一方面の前記短手方向の少なくとも１箇所に、前記長手方向に連続して形成され、前記長手方向に伸縮する伸縮性を有するスベリ止め部と、
前記帯体を環状に保持するとともに、前記帯体の前記長手方向の保持する位置を変更して前記環状の大きさを調整する調整部とを備えたズレ止めベルト。
【請求項２】
前記調整部は、前記短手方向の長さが前記帯体の前記短手方向の長さと同様に、かつ、前記長手方向の長さが前記帯体の厚さの二倍と同様の大きさにて成る開口部を有する環状部と、
上記環状部の前記長手方向の一方の一端軸および他方の他端軸の内、前記一端軸の前記短手方向の一端に連結された第一保持部と、
前記一端軸の前記短手方向の他端に連結されるとともに、前記第一保持部と所定距離離反して形成された第二保持部とをそれぞれ有する第一留め具および第二留め具を備え、
前記帯体の前記長手方向の一端に近い方から任意の長さをそれぞれ隔ててた凸部を、第一凸部、第二凸部、第三凸部とすると、
前記帯体の前記長手方向の一端は、前記第一留め具の前記一端軸に係止され、
前記第一凸部は、前記第二留め具の前記開口部に前記帯体が挿入され前記一端軸上に配置され、前記第一凸部の前記長手方向の一対の端辺が、前記他端軸と前記第一保持部および前記第二保持部とにそれぞれ保持され、
前記第二凸部は、前記第一留め具の前記開口部に前記帯体が挿入され前記一端軸上に配置され、前記第二凸部の前記長手方向の一対の端辺が、前記他端軸と前記第一保持部および前記第二保持部とに保持され、
前記第三凸部は、前記第二留め具の前記開口部に前記帯体が挿入され前記一端軸上に前記第一凸部に重なるように配置され、前記第三凸部の前記長手方向の一対の端辺が、前記他端軸と前記第一保持部および前記第二保持部とに保持され前記環状の大きさを調整する請求項１に記載のズレ止めベルト。
【請求項３】
前記帯体の前記長手方向の他端には、前記帯体の厚さより厚さが薄く、かつ、前記帯体の摩擦係数より摩擦係数が小さく、かつ、両面が平坦にて成る通し布部が接続して形成される請求項２に記載のズレ止めベルト。
【請求項４】
長手方向に配置される縦糸と短手方向に配置される横糸との織物または編物の帯体で、前記帯体の一方面は平坦にて成り、他方面には複数の略矩形形状の凸部を前記長手方向に間隔を隔てて複数個有し、かつ、前記凸部は前記長手方向の一対の端辺同士が前記長手方向に沿って平行に形成され、かつ、前記凸部は前記短手方向の一対の端辺同士が前記短手方向に沿って平行に形成され、かつ、前記凸部は厚み方向に伸縮する伸縮性を有し、前記長手方向に伸縮する伸縮性を有する前記帯体と、
前記帯体の前記一方面の前記短手方向の少なくとも１箇所に、前記長手方向に連続して形成され、前記長手方向に伸縮する伸縮性を有するスベリ止め部とを備え、
前記帯体の前記長手方向の両端が接続され環状に形成されたズレ止めベルト。
【請求項５】
前記スベリ止め部は、前記帯体の前記一方面の前記短手方向の両端側の２箇所に、前記長手方向に連続して形成される請求項１から請求項４のいずれか１項に記載のズレ止めベルト。
【請求項６】
前記帯体の前記他方面の少なくとも１箇所に、予備スベリ止め部が形成される請求項１から請求項５のいずれか１項に記載のズレ止めベルト。
【請求項７】
前記縦糸には、第一糸と、前記第一糸より伸縮性の低い第二糸にて成り、
前記横糸には、前記第一糸より伸縮性の低い第三糸にて成り、
前記第一糸は、ゴム糸にて成り、
前記第二糸は、ポリエステル糸、またはナイロン糸、または綿糸の少なくともいずれか一つにて成り、
前記第三糸は、ポリエステル糸、またはナイロン糸、または綿糸のいずれかにて成る請求項１から請求項６のいずれか１項に記載のズレ止めベルト。
【発明の詳細な説明】
【技術分野】
【０００１】
本願は、自由度が高く、かつ、使用感に優れたズレ止めベルトに関するものである。
【背景技術】
【０００２】
従来の帯状物は、長手方向に弾性伸縮自在な帯状物本体と、上記帯状物本体の幅方向の一端側または両端側に、長手方向に帯状物に沿って所要間隔で複数設けてあり、弾性紐状物によって形成されている掛け部とを有している（例えば、特許文献１参照）。
【０００３】
また、他のシャツずれ防止ベルトは、シャツの裾ズレあがりを防ぐもので、２つのボタンで留めることができ、ラバー製のゴムにて形成される（例えば、非特許文献１参照）。
【先行技術文献】
【特許文献】
【０００４】
【特許文献１】特開２０００−８０５０１号公報
【非特許文献】
【０００５】
【非特許文献１】“スポーツベルトシャツずれ防止ベルト”［平成３０年５月２８日検索］、インターネット＜https://www.amazon.co.jp/Peace%E5%B7%A5%E6%88%BF-%E3%83%94%E3%83%BC%E3%82%B9%E5%B7%A5%E6%88%BF-%E3%82%B9%E3%83%9D%E3%83%BC%E3%83%84%E3%83%99%E3%83%AB%E3%83%88-%E3%82%B7%E3%83%A3%E3%83%84%E3%81%9A%E3%82%8C%E9%98%B2%E6%AD%A2%E3%83%99%E3%83%AB%E3%83%88-L/dp/B007M2T8J8＞
【発明の概要】
【発明が解決しようとする課題】
【０００６】
従来の帯状物をズレ止めベルトとして使用するため、ズボンなどのウエスト部に装着するには、帯状物に掛け部を形成し、更に、この掛け部を設置するためのボタンをズボンのウエスト部に形成する必要がある。このように、帯状物を装着するためにはズボン自体にボタンなどの構成物を形成することが必須に成り自由度が低いという問題点があった。
【０００７】
また、従来のシャツずれ防止ベルトは、使用するために、ズボンなどにボタンなどを必要としないものの、ラバー製のゴムにて形成されているため、締め付けがきつくて長時間の使用に耐えない、また、通気性が悪く長時間の使用に耐えないなど、使用感が悪いという問題点があった。
【０００８】
本願は、上記のような課題を解決するための技術を開示するものであり、自由度が高く、かつ、使用感に優れたズレ止めベルトを提供することを目的とする。
【課題を解決するための手段】
【０００９】
本願に開示されるズレ止めベルトは、
長手方向に配置される縦糸と短手方向に配置される横糸との織物または編物の帯体で、前記帯体の一方面は平坦にて成り、他方面には複数の略矩形形状の凸部を前記長手方向に間隔を隔てて複数個有し、かつ、前記凸部は前記長手方向の一対の端辺同士が前記長手方向に沿って平行に形成され、かつ、前記凸部は前記短手方向の一対の端辺同士が前記短手方向に沿って平行に形成され、かつ、前記凸部は厚み方向に伸縮する伸縮性を有し、前記長手方向に伸縮する伸縮性を有する前記帯体と、
前記帯体の前記一方面の前記短手方向の少なくとも１箇所に、前記長手方向に連続して形成され、前記長手方向に伸縮する伸縮性を有するスベリ止め部と、
前記帯体を環状に保持するとともに、前記帯体の前記長手方向の保持する位置を変更して前記環状の大きさを調整する調整部とを備えたものである。
また、本願に開示されるズレ止めベルトは、
長手方向に配置される縦糸と短手方向に配置される横糸との織物または編物の帯体で、前記帯体の一方面は平坦にて成り、他方面には複数の略矩形形状の凸部を前記長手方向に間隔を隔てて複数個有し、かつ、前記凸部は前記長手方向の一対の端辺同士が前記長手方向に沿って平行に形成され、かつ、前記凸部は前記短手方向の一対の端辺同士が前記短手方向に沿って平行に形成され、かつ、前記凸部は厚み方向に伸縮する伸縮性を有し、前記長手方向に伸縮する伸縮性を有する前記帯体と、
前記帯体の前記一方面の前記短手方向の少なくとも１箇所に、前記長手方向に連続して形成され、前記長手方向に伸縮する伸縮性を有するスベリ止め部とを備え、
前記帯体の前記長手方向の両端が接続され環状に形成されたものである。
【発明の効果】
【００１０】
本願に開示されるズレ止めベルトによれば、自由度が高く、かつ、使用感に優れている。
【図面の簡単な説明】
【００１１】
【図１】実施の形態１によるズレ止めベルトの構成を示す図である。
【図２】図１に示したズレ止めベルトを環状にした状態を示す斜視図である。
【図３】図１に示したズレ止めベルトの留め具の構成を示す平面図である。
【図４】図１に示したズレ止めベルトを装着する方法を示す図である。
【図５】図１に示したズレ止めベルトを装着する方法を示す図である。
【図６】図１に示したズレ止めベルトを装着した状態を示す図である。
【図７】図１に示したズレ止めベルトを装着した状態を示す図である。
【図８】実施の形態１によるズレ止めベルトの他の構成を示す図である。
【図９】実施の形態２によるズレ止めベルトの構成を示す図である。
【図１０】図９に示したズレ止めベルトを装着した状態を示す図である。
【発明を実施するための形態】
【００１２】
実施の形態１．
図１は実施の形態１によるズレ止めベルト１の構成を示す図である。図１はズレ止めベルト１を環状に形成する前の状態を示している。図１の図面上、上方の図は、ズレ止めベルト１の他方面２２から見た状態を示す平面図、下方の図はズレ止めベルト１の一方面２１から見た状態を示す平面図である。図２は図１に示したズレ止めベルト１を調整部４を用いて環状にした状態の構成を示す斜視図である。
【００１３】
図３は図１に示したズレ止めベルト１の調整部４としての第一留め具４１および第二留め具４２の構成を示す平面図である。図４および図５は図１に示したズレ止めベルト１を装着する方法を示す図である。図４はズレ止めベルト１の他方面２２を表側にして装着した状態を示す図である。図５はズレ止めベルト１の一方面２１を表側にして装着した状態を示す平面図である。
【００１４】
図６および図７は図１に示したズレ止めベルト１を装着した状態を示す図である。図６はズボン８２を着用した状態を示す図である。図７はズボン８２を着用した状態におけるズボン８２とズレ止めベルト１とシャツ８１との関係を、ズレ止めベルト１の厚さ方向Ｚについて示した図である。図８は実施の形態１によるズレ止めベルトの他の構成を示す図である。
【００１５】
図において、ズレ止めベルト１は、帯体２と、スベリ止め部３と、調整部４とにて構成される。帯体２は、長手方向Ｘに配置される縦糸と短手方向Ｙに配置される横糸との織物または編物にて構成され、長手方向Ｘに伸縮する伸縮性を有する。例えば、縦糸には、第一糸と、第一糸より伸縮性の低い第二糸にて成る。例えば、横糸には、第一糸より伸縮性の低い第三糸にて成る。第一糸は、ゴム糸にて成る。第二糸は、ポリエステル糸、またはナイロン糸、または綿糸の少なくともいずれか一つにて成る。第三糸は、ポリエステル糸、またはナイロン糸、または綿糸のいずれかにて成る。
【００１６】
帯体２は織物または編物にて構成されるため、長手方向Ｘおよび短手方向Ｙにおいて折り曲げ自在であり、過度な力を加えない限り、折り曲げても元の形状に復元する。帯体２の帯体２の短手方向Ｙの長さＨ１は、４０ｍｍ±１ｍｍに形成される。帯体２の厚さ方向Ｚ（図７参照）の厚さＴ１は、１ｍｍ±１ｍｍに形成される。
【００１７】
帯体２の一方面２１は平坦にて成り、他方面２２には複数の略矩形形状の凸部５を長手方向Ｘに間隔を隔てて複数個形成される。凸部５は、長手方向Ｘの一対の端辺５１同士が、長手方向Ｘに沿って平行に形成される。凸部５は、短手方向Ｙの一対に端辺５２同士が短手方向Ｙに沿って平行に形成される。凸部５は、厚さ方向Ｚに伸縮する伸縮性を有する。
【００１８】
凸部５の大きさは、例えば、凸部５の短手方向Ｙの長さＨ２は、３５ｍｍ±１ｍｍに形成される。凸部５の長手方向Ｘの長さＷ１は、１２ｍｍ±１ｍｍに形成される。また、長手方向Ｘにおいて隣接する凸部５同士の間隔Ｗ２は、２ｍｍ±１ｍｍに形成される。尚、凸部５は、帯体２を織物または編物にて形成されるため、織り方または編み方のパターンにより容易に形成することが可能である。また、凸部５は図面上においては、便宜上、矩形形状にて示しているが、本来、帯体２は織物または編物にて形成されるため、矩形形状の角部はＲ形状にて形成される。
【００１９】
スベリ止め部３は、帯体２の一方面２０の短手方向Ｙの両端側の２箇所に、長手方向Ｘに連続して形成された第一スベリ止め部３１および第二スベリ止め部３２にて形成される。スベリ止め部３は、スベリが発生しない材質、すなわち、摩擦係数の高い材質で形成され、例えば、シリコーン樹脂をプリント加工して構成される。また、スベリ止め部３は、長手方向Ｘに伸縮する伸縮性を有し、帯体２の長手方向Ｘの伸縮性を阻害せず、スベリ止めの効果が得られるものである。また、スベリ止め部３は、ここでは、長手方向Ｘに連続する直線状にて形成する例を示しているが、例えば、長手方向Ｘに連続する波線状にて形成することも可能である。
【００２０】
調整部４は、帯体２を環状に保持するとともに、帯体２の長手方向Ｘの保持する位置を変更して環状の大きさを調整する。ここでは、調整部４は、第一留め具４１および第二留め具４２により構成される。
【００２１】
図３に示すように、第一留め具４１および第二留め具４２は、環状部７０と、第一保持部９１と、第二保持部９２とを有する。環状部７０は、開口部７３を有する。開口部７３の短手方向Ｙの長さＨ３は、帯体２が挿入可能な大きさであればよく、帯体２の短手方向Ｙの長さＨ１と同様に形成される。また、開口部７３の長手方向Ｘの長さＷ３は、帯体２が二枚重なった状態で挿入可能であればよく、帯体２の厚さＴ１（凸部５が形成されていない箇所）の二倍と同様の大きさにて形成される。
【００２２】
また、長手方向Ｘの長さＷ４は、開口部７３の長さＷ３と同様の長さにて形成される。環状部７０は長手方向Ｘの一方の一端軸７１および他方の他端軸７２を有する。第一保持部９１は一端軸７１の短手方向Ｙの一端に連結され形成される。第二保持部９２は一端軸７１の短手方向Ｙの他端に連結されるとともに、第一保持部９１と所定距離離反して形成される。離反する短手方向Ｙの長さＨ４は、帯体２を短手方向Ｙに折り曲げながら着脱可能な大きさであればよく、２０ｍｍ±１ｍｍに形成される。
【００２３】
帯体２の長手方向Ｘの一端２０１は、第一留め具４１の一端軸７１に係止される。具体的には、図１に示すように、帯体２の長手方向Ｘの一端を、帯体２の他方面２２側から、第一留め具４１の第一保持部９１と第二保持部９２との離反されている箇所から挿入し、第一留め具４１の開口部７３に挿入して、帯体２の一方面２１側に送出して、帯体２を厚さ方向Ｚに重ねて縫い付ける。これにより、帯体２の一端２０１は、第一留め具４１の一端軸７１に係止できる。
【００２４】
帯体２の長手方向Ｘの一端２０１に近い方から任意の長さをそれぞれ隔ててた凸部５を、第一凸部５０１（図１参照）、第二凸部５０２（図２参照）、第三凸部５０３（図２参照）とすると、第一凸部５０１は第二留め具４２に係止され、第二凸部５０２は第一留め具４１に係止され、第三凸部５０３は第二留め具４２によりかつ第一凸部５０１上に係止される。第二凸部５０２の任意の位置は、ズレ止めベルト１の環状の大きさを決定するための位置となる。また、第一凸部５０１と第三凸部５０３との任意の位置は、ズレ止めベルト１の環状の大きさが調整された残りの帯体２の他端２０２側の部分の位置を保持するための位置となる。
【００２５】
帯体２の長手方向Ｘの他端２０２には、帯体２の厚さＴ１より厚さが薄く、かつ、帯体２の摩擦係数より摩擦係数が小さく、かつ、両面が平坦にて成る通し布部６が縫い付けられ、接続して形成される。通し布部６は、例えば、サテン生地にて形成される。
【００２６】
次に、上記のように構成された実施の形態１のズレ止めベルト１の使用方法について説明する。まず、図１に示したように、ズレ止めベルト１の帯体２の第一凸部５０１を、第二留め具４２の開口部７３に帯体２の他端２０２側から挿入して一端軸７１上に配置し、第一凸部５０１の長手方向Ｘの一対の端辺５２が、他端軸７２と第一保持部９１および第二保持部９２とにそれぞれ保持された状態とする。
【００２７】
この開口部７３に帯体２を挿入する際には、上記に示したように帯体２の他端２０２側から挿入する。すなわち、通し布部６をまず開口部７３に挿入して、その後、帯体２を開口部７３に導くことができる。通し布部６は、帯体２より厚みが薄く、かつ、帯体２の摩擦係数より小さな摩擦係数を有するため、開口部７３に容易に挿入することが可能と成る。このため、開口部７３への帯体２の挿入は、通し布部６を長手方向Ｘに引っ張るだけで可能と成るため容易に行うことができる。
【００２８】
次に、図１に示した状態のズレ止めベルト１を、使用者が着用しているシャツ８１上のウエスト付近に、帯体２の他方面２２が表側に成るように設置する。次に、第二凸部５０２を、第一留め具４１の開口部７３に帯体２の他端２０２側から挿入して一端軸７１上に配置し、第二凸部５０２の長手方向Ｘの一対の端辺５２が、他端軸７２と第一保持部９１および第二保持部９２とに保持する。この開口部７３に帯体２を挿入する際には、帯体２の他端２０２側から挿入することと成るため、上記に示した場合と同様に容易に行うことができる。このように、この第二凸部５０２を第一留め具４１に保持した時点において、ズレ止めベルト１の環状の大きさは調整される。
【００２９】
次に、ズレ止めベルト１の環状の大きさが調整された残りの帯体２の他端２０２側の部分の位置を保持するために、第三凸部５０３を、第二留め具４２の開口部７３に帯体２の他端２０２側から挿入して一端軸７１上に第一凸部５０１に重なるように配置し、第三凸部５０３の長手方向Ｘの一対の端辺５２が、他端軸７２と第一保持部９１および第二保持部９２とに保持される（図４）。この開口部７３に帯体２を挿入する際には、帯体２の他端２０２側から挿入することと成るため、上記に示した場合と同様に容易に行うことができる。
【００３０】
この第一凸部５０１、第二凸部５０２、第三凸部５０３の位置を適宜調整して設定し、上記に示したように配置すると、環状の大きさは自由に調整可能と成る。具体的に、使用者のウエスト部分が、図２に示した場合の環状の大きさより小さく環状を形成する必要がある場合、環状の大きさを決定する第一留め具４１に保持する第二凸部５０２と、ズレ止めベルト１の環状の大きさが調整された残りの帯体２の他端２０２側の部分の位置を保持するための第二留め具４２に保持する第一凸部５０１および第三凸部５０３との長手方向Ｘの間隔は、図２に示した以上の長さになる。このような場合であっても、ズレ止めベルト１の環状の大きさが調整できるとともに、ズレ止めベルト１の環状の大きさが調整された残りの帯体２の他端２０２側の部分の位置を確実に保持できる。
【００３１】
次に、このように環状の大きさが調整された後に、帯体２の他方面２２を反転させて、図５に示すように、帯体２の一方面２１を表側にする。そして、通常と同様にズボン８２を着用すると、図６に示すように、ズボン８２内であって、シャツ８１とズボン８２との間に、ズレ止めベルト１が装着される。図７に示すように、ズボン８２側は、スベリ止め部３により、ズボン８２とズレ止めベルト１とはズレが防止される。また、スベリ止め部３は帯体２の一方面２０の短手方向Ｙの両端側の２箇所に、長手方向Ｘに連続して形成された、第一スベリ止め部３１および第二スベリ止め部３２を有するため、帯体２の短手方向Ｙの両端側のそれぞれにてズレを確実に防止できる。また、シャツ８１側は、帯体２の凸部５により、シャツ８１とズレ止めベルト１とはズレが防止される。これにより、ズレ止めベルト１はシャツ８１とズボン８２とのズレを防止でき、シャツ８１がズボン８２のウエスト部分から外に出ることが防止できる。
【００３２】
また、凸部５は、矩形形状にて形成され、その長手方向Ｘの一対の端辺５１同士が短手方向Ｙにて平行に形成され、かつ、凸部５はその短手方向Ｙの一対に端辺５２同士が長手方向Ｘにて平行に形成されているため、長手方向Ｘに隣接する凸部５間には平坦の箇所の間隔Ｗ２が形成される。よって、図７に示すように、シャツ８１側は、帯体２の長手方向Ｘに隣接する凸部５間において、短手方向Ｙに空気の流れる間隔Ｗ２の隙間となる。これにより、ズレ止めベルト１とシャツ８１との間の蒸れを低減できる。また、帯体２は織物または編物にて構成されるため、帯体２の一方面２１から他方面２２への厚さ方向Ｚにおける通気性は優れている。
【００３３】
尚、図４に示した、調整部４を利用したズレ止めベルト１の環状の大きさの調整は一例であり、使用者に装着する前に、予め、調整部４によりズレ止めベルト１の環状の大きさを調整した後に、使用者に装着してもよい。
【００３４】
図４に示したように、環状の大きさを一旦設定すれば、同様の使用者が同様の状態にて使用する場合には、帯体２は長手方向Ｘに伸縮して、環状の大きさが伸び縮みするので、次回の使用からはズレ止めベルト１の着脱は、調整部４にて調整することなく、足先からウエスト部分まで持ち上げて着用したり、また、頭からかぶってウエスト部分まで下げて着用したり、当該環状の状態のままでの着脱が可能となる。
【００３５】
図５に示した状態とすることなく、図４に示したように、帯体２の他方面２２を表側にした状態にて使用することも可能である。その場合、シャツ８１側は、スベリ止め部３により、シャツ８１とズレ止めベルト１とはズレが防止される。また、ズボン８２側は、帯体２の凸部５により、ズボン８２とズレ止めベルト１とはズレが防止される。これにより、ズレ止めベルト１はシャツ８１とズボン８２とのズレを防止でき、シャツ８１がズボン８２のウエスト部分から外に出ることが防止できる。但し、図５に示した状態のように、ズレ止めベルト１の帯体２の凸部５がシャツ８１側に装着される方が、先に示した蒸れの低減に優れ、かつ、使用者に凸部５が接するため使用感に優れていると言える。
【００３６】
また、別の使用者が使用する場合、また、同一の使用者が使用する場合であっても状態が変更される場合などには、上記に示したように調整部４を用いて、ズレ止めベルト１の環状の大きさを変更して用いることができる。
【００３７】
上記実施の形態１においては、調整部４を備える例を示したが、これに限られることはなく、帯体２は長手方向Ｘに伸縮性を有するため、ある程度の長手方向Ｘの長さ、すなわち環状の大きさに対する許容範囲がある。よって、図８に示すように、ズレ止めベルト１を、帯体２の長手方向Ｘの一端２０１と他端２０２との両端を縫い止めて接続して、環状に形成する。環状の大きさを調整する以外の使用方法などは上記実施の形態１において示した場合と同様であるため、その説明は省略する。
【００３８】
また、上記実施の形態１においては、スベリ止め部３を短手方向Ｙの両端側の２箇所に、長手方向Ｘに連続して形成する例を示したが、これに限られることはなく、スベリ止め部３を短手方向Ｙの１箇所、例えば、帯体２の短手方向Ｙの中央部に、長手方向Ｘに連続して形成してもよい。このように形成しても、帯体２の一方面２１が接する箇所においては、帯体２の短手方向Ｙの１箇所においてズレが防止できる。
【００３９】
尚、“スベリ止め部３を長手方向Ｘに連続して形成する”とは、帯体２の長手方向Ｘの全周全てに連続して形成する場合も考えられるが、これに限られるものではなく、スベリ止め部３はズレが防止できる程度に長手方向Ｘにある程度の長さ連続して形成されていれば良い。
【００４０】
上記のように構成された実施の形態１のズレ止めベルトによれば、
長手方向に配置される縦糸と短手方向に配置される横糸との織物または編物の帯体で、前記帯体の一方面は平坦にて成り、他方面には複数の略矩形形状の凸部を前記長手方向に間隔を隔てて複数個有し、かつ、前記凸部は前記長手方向の一対の端辺同士が前記長手方向に沿って平行に形成され、かつ、前記凸部は前記短手方向の一対の端辺同士が前記短手方向に沿って平行に形成され、かつ、前記凸部は厚み方向に伸縮する伸縮性を有し、前記長手方向に伸縮性を有する前記帯体と、
前記帯体の前記一方面の前記短手方向の少なくとも１箇所に、前記長手方向に連続して形成され、前記長手方向に伸縮する伸縮性を有するスベリ止め部と、
前記帯体を環状に保持するとともに、前記帯体の前記長手方向の保持する位置を変更して前記環状の大きさを調整する調整部とを備えたので、
ズレ止めベルトの着用に対して、ズボンおよびシャツなどに他の構成物が必要なく着用できるため、自由度が増す。また、帯体の一方面が接する箇所においては、スベリ止め部によりズレが防止され、帯体の他方面が接する箇所においては、凸部によりズレが防止されるため、ズレ防止に有効的である。また、帯体は織物または編物にて形成されているため、通気性に優れて、かつ、装着性に優れているため、長時間使用しても違和感がなく使用感に優れている。また、帯体の他方面では、長手方向に隣接する凸部間において、空気の流れを得ることができるため、帯体の他方面が接する箇所において、蒸れが低減できる。また、調整部により環状の大きさを調整できるため使用範囲に対する自由度が増す。
【００４１】
また、前記調整部は、前記短手方向の長さが前記帯体の前記短手方向の長さと同様に、かつ、前記長手方向の長さが前記帯体の厚さの二倍と同様の大きさにて成る開口部を有する環状部と、
上記環状部の前記長手方向の一方の一端軸および他方の他端軸の内、前記一端軸の前記短手方向の一端に連結された第一保持部と、
前記一端軸の前記短手方向の他端に連結されるとともに、前記第一保持部と所定距離離反して形成された第二保持部とをそれぞれ有する第一留め具および第二留め具を備え、
前記帯体の前記長手方向の一端に近い方から任意の長さをそれぞれ隔ててた凸部を、第一凸部、第二凸部、第三凸部とすると、
前記帯体の前記長手方向の一端は、前記第一留め具の前記一端軸に係止され、
前記第一凸部は、前記第二留め具の前記開口部に前記帯体が挿入され前記一端軸上に配置され、前記第一凸部の前記長手方向の一対の端辺が、前記他端軸と前記第一保持部および前記第二保持部とにそれぞれ保持され、
前記第二凸部は、前記第一留め具の前記開口部に前記帯体が挿入され前記一端軸上に配置され、前記第二凸部の前記長手方向の一対の端辺が、前記他端軸と前記第一保持部および前記第二保持部とに保持され、
前記第三凸部は、前記第二留め具の前記開口部に前記帯体が挿入され前記一端軸上に前記第一凸部に重なるように配置され、前記第三凸部の前記長手方向の一対の端辺が、前記他端軸と前記第一保持部および前記第二保持部とに保持され前記環状の大きさを調整するので、
環状の大きさを容易にかつ簡便に調整することができる。また、ズレ止めベルトの環状の大きさが調整された残りの帯体の他端側の部分の位置を確実に保持でき、使用性に優れている。
【００４２】
また、前記帯体の長手方向の他端には、前記帯体の厚さより厚さが薄く、かつ、前記帯体の摩擦係数より摩擦係数が小さく、かつ、両面が平坦にて成る通し布部が接続して形成されるので、
ズレ止めベルトを環状の形状に容易に形成することができる。
【００４３】
また、長手方向に配置される縦糸と短手方向に配置される横糸との織物または編物の帯体で、前記帯体の一方面は平坦にて成り、他方面には複数の略矩形形状の凸部を前記長手方向に間隔を隔てて複数個有し、かつ、前記凸部は前記長手方向の一対の端辺同士が前記長手方向に沿って平行に形成され、かつ、前記凸部は前記短手方向の一対の端辺同士が前記短手方向に沿って平行に形成され、かつ、前記凸部は厚み方向に伸縮する伸縮性を有し、前記長手方向に伸縮性を有する前記帯体と、
前記帯体の前記一方面の前記短手方向の少なくとも１箇所に、前記長手方向に連続して形成され、前記長手方向に伸縮する伸縮性を有するスベリ止め部とを備え、
前記帯体の前記長手方向の両端が接続され環状に形成されるので、
ズレ止めベルトの着用に対して、ズボンおよびシャツなどに他の構成物が必要なく着用できるため、自由度が増す。また、帯体の一方面が接する箇所においては、スベリ止め部によりズレが防止され、帯体の他方面が接する箇所においては、凸部によりズレが防止されるため、ズレ防止に有効的である。また、帯体は織物または編物にて形成されているため、通気性に優れて、かつ、装着性に優れているため、長時間使用しても違和感がなく使用感に優れている。また、帯体の他方面では、長手方向に隣接する凸部間において、空気の流れを得ることができるため、帯体の他方面が接する箇所において、蒸れが低減できる。また、ズレ止めベルトの環状の大きさは、帯体の長手方向の伸縮に限られるものの、調整部を必要としないため、簡便な構成と成り低コストと成る。また、調整部を必要としないため、装着時の使用感に優れている。また、調整部を必要としないため、洗濯を簡便に行うことができる。
【００４４】
また、前記スベリ止め部は、前記帯体の前記一方面の前記短手方向の両端側の２箇所に、前記長手方向に連続して形成されるため、帯体の一方面が接する箇所においては、帯体の短手方向の両端側の２箇所においてズレが防止されるため、ズレの防止が確実となる。
【００４５】
また、前記縦糸には、第一糸と、前記第一糸より伸縮性の低い第二糸にて成り、
前記横糸には、前記第一糸より伸縮性の低い第三糸にて成り、
前記第一糸は、ゴム糸にて成り、
前記第二糸は、ポリエステル糸、またはナイロン糸、または綿糸の少なくともいずれか一つにて成り、
前記第三糸は、ポリエステル糸、またはナイロン糸、または綿糸のいずれかにて成るので、帯体の長手方向の伸縮を確実に得ることができる。
【００４６】
実施の形態２．
上記実施の形態１においては、帯体２の一方面２１上のみにスベリ止め部３を備える例を示したが、これに限られることはなく、帯体２の他方面２２上に予備スベリ止め部３０を備えてもよい。図９は実施の形態２によるズレ止めベルト１の構成を示す図である。図９はズレ止めベルト１を環状に形成する前の状態を示している。図９は、ズレ止めベルト１の他方面２２から見た状態を示す平面図である。図１０は図９に示したズレ止めベルトを装着した状態を示す図である。図１０はズボン８２を着用した状態におけるズボン８２とズレ止めベルト１とシャツ８１との関係を、ズレ止めベルト１の厚さ方向Ｚについて示した図である。
【００４７】
図において、上記実施の形態1と同様の部分は同一符号を付して説明を省略する。帯体２の他方面２２上に、予備スベリ止め部３０を形成する。予備スベリ止め部３０は、凸部５上であって、凸部５の一対の端辺５１に沿って、第一予備スベリ止め部３３および第二予備スベリ止め部３４がそれぞれ形成される。
【００４８】
上記のように構成された実施の形態２のズレ止めベルト１を上記実施の形態１と同様にシャツ８１とズボン８２との間に装着すると、図１０に示すように、ズボン８２側は、スベリ止め部３により、ズボン８２とズレ止めベルト１とはズレが防止される。また、シャツ８１側は、帯体２の凸部５および予備スベリ止め部３０により、シャツ８１とズレ止めベルト１とはズレが更に防止される。これにより、ズレ止めベルト１はシャツ８１とズボン８２とのズレを更に防止でき、シャツ８１がズボン８２のウエスト部分から外に出ることが更に防止できる。
【００４９】
尚、予備スベリ止め部３０は、帯体２の凸部５の一対の端辺５１に沿って形成する例を示したが、これに限られることはなく、帯体２の他方面２２上であればよい。但し、凸部５が厚さ方向Ｚに突出しているため、凸部５上のいずれかの位置に形成されることが好ましい。また、予備スベリ止め部３０は、帯体２の長手方向Ｘに不連続に形成する例を示したが、これに限られることはなく、帯体２の長手方向Ｘに連続して形成することも考えられる。
【００５０】
上記のように構成された実施の形態２のズレ止めベルトは、上記実施の形態１と同様の効果を奏するのはもちろんのこと、
前記帯体の前記他方面の少なくとも１箇所に、予備スベリ止め部が形成されるので、帯体の他方面側に配置される例えばシャツに対して更にズレを防止できる。
【００５１】
本開示は、様々な例示的な実施の形態および実施例が記載されているが、一つ、または複数の実施の形態に記載された様々な特徴、態様、および機能は特定の実施の形態の適用に限られるのではなく、単独で、または様々な組み合わせで実施の形態に適用可能である。
従って、例示されていない無数の変形例が、本願明細書に開示される技術の範囲内において想定される。例えば、少なくとも一つの構成要素を変形する場合、追加する場合または省略する場合、更に、少なくとも一つの構成要素を抽出し、他の実施の形態の構成要素と組み合わせる場合が含まれるものとする。
【符号の説明】
【００５２】
１  ズレ止めベルト、２  帯体、２１  一方面、２２  他方面、２０１  一端、
２０２  他端、３  スベリ止め部、３０  予備スベリ止め部、３１  第一スベリ止め部、３２  第二スベリ止め部、４  調整部、４１  第一留め具、４２  第二留め具、
５  凸部、５１  一対の端辺、５２  一対に端辺、６  通し布部、７０  環状部、
７１  一端軸、７２  他端軸、７３  開口部、８１  シャツ、８２  ズボン、
９１  第一保持部、９２  第二保持部、Ｈ１  長さ、Ｈ２  長さ、Ｈ３  長さ、
Ｈ４  長さ、Ｔ１  厚さ、Ｗ１  長さ、Ｗ２  間隔、Ｗ３  長さ、Ｗ４  長さ、
Ｘ  長手方向、Ｙ  短手方向、Ｚ  厚さ方向。
【図１】
2019214811.tif 000003
【図２】
2019214811.tif 000004
【図３】
2019214811.tif 000005
【図４】
2019214811.tif 000006
【図５】
2019214811.tif 000007
【図６】
2019214811.tif 000008
【図７】
2019214811.tif 000009
【図８】
2019214811.tif 000010
【図９】
2019214811.tif 000011
【図１０】
2019214811.tif 000012